(57)【要約】【課題】  計測値の承認情報をより簡便に確認することを目的とする。【解決手段】  複数の計測モードを切り替えて、前記計測モードごとに対応した計測値を計測する計測手段を備えた医用情報端末であって、前記計測した計測値を前記医用情報端末に接続された通信回線へ送信する送信手段と、前記通信回線を通じて、前記計測手段が計測した計測値ごと、あるいは前記計測モードごとに付された前記計測値に関する承認情報を取得する承認情報取得手段と、前記取得した承認情報と、前記承認情報に対応する計測値あるいは前記計測モードと、を対応づけて表示する表示手段とを具備する。【選択図】  図４
2012179101.tif 000002
【特許請求の範囲】
【請求項１】
複数の計測モードを切り替えて、前記計測モードごとに対応した計測値を計測する計測手段を備えた医用情報端末であって、
前記計測した計測値を前記医用情報端末に接続された通信回線へ送信する送信手段と、
前記通信回線を通じて、前記計測手段が計測した計測値ごと、あるいは前記計測モードごとに付された前記計測値に関する承認情報を取得する承認情報取得手段と、
前記取得した承認情報と、前記承認情報に対応する計測値あるいは前記計測モードと、を対応づけて表示する表示手段と
を具備する医用情報端末。
【請求項２】
前記承認情報は、前記計測値が承認されたことを示す承認済み情報と、前記計測値が承認されていないことを示す未承認情報と、を少なくとも含む
請求項１に記載の医用情報端末。
【請求項３】
前記承認情報は再計測指示情報を少なくとも含み、
前記計測手段は、前記承認情報取得手段が取得した承認情報に含まれる、前記再計測指示情報に対応した前記計測モードへと前記計測モードを切り替える
請求項１または２に記載の医用情報端末。
【請求項４】
通信回線を通じて、複数の計測モードごとに対応した計測値を取得する計測値取得手段と、
前記取得した計測値ごと、あるいは前記計測モードごとに、前記計測値が承認されたことを示す承認済み情報と、前記計測値が承認されていないことを示す未承認情報とを少なくとも含む承認情報を付与する承認情報付与手段と、
前記通信回線を通じて、前記付与した承認情報を送信する送信手段と
を具備する医用情報端末。
【請求項５】
計測端末とビューワー端末からなる医用診断システムであって、
前記計測端末は、
複数の計測モードを切り替えて、前記計測モードごとに対応した計測値を計測する計測手段と、
前記ビューワー端末によって付与された、前記計測手段が計測した計測値ごと、あるいは前記計測モードごとに付された前記計測値に関する承認情報を取得する承認情報手段と、
前記取得した承認情報と、前記承認情報に対応する計測値あるいは前記計測モードと、を対応づけて表示する表示手段とを備え、
前記ビューワー端末は、
前記計測端末が計測した前記計測値を取得する計測値取得手段と、
前記取得した計測値ごと、あるいは前記計測モードごとに承認情報を付与する承認情報付与手段と
を具備する医用診断システム。
【発明の詳細な説明】
【技術分野】
【０００１】
本発明は、診断結果を確認することが可能な医用情報端末、及び医用診断システムに関する。
【背景技術】
【０００２】
医用診断システムは、超音波診断装置やＣＴ（Ｃｏｍｐｕｔｅｄ  Ｔｏｍｏｇｒａｐｈｙ）スキャン装置やＭＲＩ（Ｍａｇｎｅｔｉｃ  Ｒｅｓｏｎａｎｃｅ  Ｉｍａｇｉｎｇ）装置などの撮像端末が撮影した医用画像や、医用画像に付帯されるレポートをネットワーク内で共有するシステムである。医用診断システムを使用する診療施設においては、撮像端末、ＰＡＣＳ（画像保存通信システム：Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）サーバ、及びビューワー端末などの種々の医用情報端末がネットワーク接続される。
【０００３】
このような医用診断システムにおいては、ネットワーク内でレポートを共有することにより診断の効率化が行われている（例えば、特許文献１を参照。）。すなわち、検査技師が撮像端末を用いて被検体の撮像を行って、医用画像と被検体に関する生体情報の計測値を取得する。検査技師は取得した計測値をレポートとして医用画像と共にＰＡＣＳサーバへと出力する。医師はこのレポートをＰＡＣＳサーバから読みだして確認することで、撮像端末から離れた診断室から被検体の診断を行うことができる。
【先行技術文献】
【特許文献】
【０００４】
【特許文献１】特開２００７−１４３７６６号公報
【発明の概要】
【発明が解決しようとする課題】
【０００５】
先述した医用診断システムを用いて医師が被検体の診断を行う場合には、医師はＰＡＣＳサーバのレポート内に保存された計測値を基にして、被検体に異常がないかの確認を行う。ここで、例えば検査技師の操作ミスなどで計測作業が正しく行えなかった場合や、撮像端末の不具合が発生した場合などで、計測値が異常値を示すことがある。計測値が異常値である場合には、検査技師は再計測を行って、計測値を取得しなおす必要がある。
【０００６】
しかし従来の医用診断システムにおいては、レポート中に含まれる多数の計測値のうち、どの計測値が異常値を示しているのか、あるいはどの計測値について再計測を行うべきかを指示するために、医師が直接検査技師に口頭で伝えるか、あるいは紙文書を作成し検査技師に送付する必要があった。このため、異常値の指摘や再計測の指示が迅速に行えず、また口頭や紙文書の作成にともなって伝達ミスが発生する虞があった。
【０００７】
そこで本開示においては、計測値の承認情報をより簡便に確認することを目的とする。
【課題を解決するための手段】
【０００８】
上記課題を解決するため実施形態の医用情報端末においては、複数の計測モードを切り替えて、前記計測モードごとに対応した計測値を計測する計測手段を備えた医用情報端末であって、前記計測した計測値を前記医用情報端末に接続された通信回線へ送信する送信手段と、前記通信回線を通じて、前記計測手段が計測した計測値ごと、あるいは前記計測モードごとに付された前記計測値に関する承認情報を取得する承認情報取得手段と、前記取得した承認情報と、前記承認情報に対応する計測値あるいは前記計測モードと、を対応づけて表示する表示手段とを具備する。
【０００９】
また、上記課題を解決するため実施形態の医用情報端末においては、通信回線を通じて、複数の計測モードごとに対応した計測値を取得する計測値取得手段と、前記取得した計測値ごと、あるいは前記計測モードごとに、前記計測値が承認されたことを示す承認済み情報と、前記計測値が承認されていないことを示す未承認情報とを少なくとも含む承認情報を付与する承認情報付与手段と、前記通信回線を通じて、前記付与した承認情報を送信する送信手段とを具備する。
【００１０】
また、上記課題を解決するため実施形態の医用診断システムにおいては、計測端末とビューワー端末からなる医用診断システムであって、前記計測端末は、複数の計測モードを切り替えて、前記計測モードごとに対応した計測値を計測する計測手段と、前記ビューワー端末によって付与された、前記計測手段が計測した計測値ごと、あるいは前記計測モードごとに付された前記計測値に関する承認情報を取得する承認情報手段と、前記取得した承認情報と、前記承認情報に対応する計測値あるいは前記計測モードと、を対応づけて表示する表示手段とを備え、前記ビューワー端末は、前記計測端末が計測した前記計測値を取得する計測値取得手段と、前記取得した計測値ごと、あるいは前記計測モードごとに承認情報を付与する承認情報付与手段とを具備する。
【図面の簡単な説明】
【００１１】
【図１】実施形態に係る医用診断システムの構成を示す図。
【図２】実施形態に係るレポートの階層構造を示す図。
【図３】実施形態に係る計測値承認情報を用いた診断の流れを示すフローチャート。
【図４】実施形態に係る承認情報を付与する際の、ビューワー端末における画面表示例を示す図。
【図５】実施形態に係る承認情報を参照する際の、撮像端末における画面表示例を示す図。
【発明を実施するための形態】
【００１２】
以下、本発明の実施の形態について、図面を参照して説明する。
【００１３】
（医用診断システムのネットワーク構成）
図１は、実施形態にかかる医用診断システム１０のネットワーク構成を示すブロック図である。実施形態における医用診断システム１０は、後述する撮像端末１、ビューワー端末２、及びＰＡＣＳサーバ３などの種々の医用情報端末を有線通信回線や無線通信回線を通じて接続したネットワークである。医用診断システム１０を構成する各医用情報端末は、公知の通信技術を用いて互いに情報の送受信が可能なように構成される。なお、本実施形態においては、撮像端末１、ビューワー端末２、及びＰＡＣＳサーバー３を総称して医用情報端末と記載する。
【００１４】
なお、実施形態における医用診断システム１０の構成はこれに限られるものではない。例えば撮像端末１、ビューワー端末２、及びＰＡＣＳサーバ３などの医用情報端末が医用診断システム１０内に複数存在しても構わないし、あるいは各医用情報端末のうちいずれかを省略して、その省略された医用情報端末の機能を他の医用情報端末が担う構成としても構わない。例えば、図１に示す構成からＰＡＣＳサーバ３を省略して、ビューワー端末２がＰＡＣＳサーバ３の機能を兼ね備えるように医用診断システム１０を構成しても構わない。
【００１５】
撮像端末１は、超音波診断装置、ＣＴスキャン装置、ＭＲＩ装置、Ｘ線画像診断装置、内視鏡画像撮影装置、あるいは核医学診断装置といった、被検体の医用画像を撮影するための装置である。
【００１６】
また、撮像端末１は撮影した医用画像を用いて計測値を取得する機能を持つ。例えば撮像端末１が超音波診断装置によって構成される場合には、以下のような計測値を取得することができる。例えば、撮像端末１が撮影した超音波画像上の臨床的な特徴点（例えば、大動脈の血管壁）に計測用のマーカを複数配置して、大動脈の径を計測し計測値として取得する。また例えば撮像端末１が取得したドプラ波形（実施形態においてはドプラ波形も医用画像の一種として記載する）を用いて、心室拡張初期の時相における血流速度を計測し計測値として取得する。なお、撮像端末１が計測値を取得する場合に替えて、撮像端末１に接続された計測値取得用のワークステーションが計測値を取得するものであっても構わない。
【００１７】
また、撮像端末１は撮影した医用画像に関連する種々の情報を示す付帯情報（以下、付帯情報を単にレポートと記載する）を生成する機能を持つ。例えばレポートには、医用画像を撮影した患者に関する情報や、撮像端末１が計測した計測値の情報、あるいは計測値を取得した計測手法に関連する情報が含まれる。またレポートには、本実施形態において特徴的な構成である、計測値承認情報が含まれる。計測値承認情報は、計測値を用いて被検体を診断する医師が、後述するビューワー端末２を用いて編集する情報である。計測値承認情報は、ビューワー端末２で確認されたレポート中の各計測値について、計測値を正しいものとみなして承認したか、あるいは未だ承認していないか、あるいは再度の計測を指示しているかを示す情報である。レポートを構成する各情報の構成については、後に詳しく述べる。なお、撮像端末１がレポートを構成する各情報を生成する場合に替えて、撮像端末１やＰＡＣＳサーバ３に接続された患者情報データベースや情報入力端末がレポートを構成する情報のうち、幾つかを生成するものであっても構わない。
【００１８】
また、撮像端末１は撮影した医用画像と、医用画像に関するレポートとをＰＡＣＳサーバ３に出力する機能を持つ。
【００１９】
また、撮像端末１はＰＡＣＳサーバ３から医用画像と、医用画像に関するレポートを読みだして、撮像端末１に設けられたディスプレイに表示する機能を持つ。
【００２０】
ビューワー端末２は、例えば医師が医用画像とレポートを用いて被検体の診断を行う際に使用する情報端末である。ビューワー端末２はＰＡＣＳサーバ３から医用画像と、医用画像に関するレポートを読みだして、ビューワー端末２に設けられたディスプレイに表示する機能を持つ。ビューワー端末２を使用する医師はディスプレイに医用画像とレポートとを表示させて、医用画像中に臨床的な異常がないか、あるいはレポート中の計測値に臨床的な異常がないかを確認することによって診断を行う。
【００２１】
また、ビューワー端末２はレポート中の各計測値に対して計測値承認情報を付与する機能を持つ。例えば計測値承認情報の付与は、ビューワー端末２に設けられたキーボードなどの入力部を用いて、レポート中の各計測値に対して承認したことを示すマークや、再計測を指示するマークを付すことにより行われる。ビューワー端末２は計測値承認情報を付与したレポートをＰＡＣＳサーバ３に出力する機能を持つ。
【００２２】
また、ビューワー端末２は計測値承認情報を付与したレポート及び医用画像について確認するよう指示する信号を撮像端末１に出力する機能を持つ。
【００２３】
ＰＡＣＳサーバ３は、先述した医用画像及びレポートを格納するデータベースサーバである。ＰＡＣＳサーバ３中には、医用画像を格納する画像データベース３１、レポートを格納するレポートデータベース３２がそれぞれ設けられている。ＰＡＣＳサーバ３は画像データベース３１中の医用画像とレポートデータベース３２中のレポートとをそれぞれ対応付けて格納し、あるレポートが特定された場合に関連付けられた医用画像を特定する機能を持つ。
【００２４】
また、ＰＡＣＳサーバ３は撮像端末１あるいはビューワー端末２から出力されたレポート出力指示あるいは医用画像出力指示に応じて、レポートあるいは医用画像を出力する機能を持つ。また、ＰＡＣＳサーバ３は撮像端末１から出力された医用画像及びレポート、もしくはビューワー端末２から出力されたレポートを受けて、画像データベース３１あるいはレポートデータベース３２にそれぞれ格納する機能を持つ。
【００２５】
（レポートの情報構成）
図２は、ＰＡＣＳサーバ３のレポートデータベース３２に格納されるレポートの情報構成を示した図である。例えばレポートは、医用画像を扱う情報端末間での通信規格であるＤＩＣＯＭＳＲ（Ｄｉｇｉｔａｌ  Ｉｍａｇｉｎｇ  ａｎｄ  Ｃｏｍｍｕｎｉｃａｔｉｏｎ  ｉｎ  Ｍｅｄｉｃｉｎｅ  Ｓｔｒｕｃｔｕｒｅｄ  Ｒｅｐｏｒｔ）に則って構成することができる。ＤＩＣＯＭＳＲ規格に則ってレポートを構成する場合、レポートを構成する各情報は図２に示すように階層化して整理される。
【００２６】
例えばレポート最上位の階層である階層１には、「レポート名」としてレポート全体に対する情報であるレポートに対する名称の情報が格納される。
【００２７】
例えば階層１の下位にある階層２には、「レポート言語」としてレポートを記述する言語が何であるかを示す情報（日本語や英語など）、「参照ステータス」としてレポート全体がビューワー端末２によって確認されたか否かを示す情報（確認済み、や未確認など）、「患者情報」としてレポートがどの被検体に関するものであるかを示す情報（東芝  太郎など）、「画像識別子」としてレポートが付帯している医用画像の画像識別子が何であるかを示す情報（ＤＣＦやＪＰＥＧなど）、「計測手法」として医用画像が被検体の何の計測を目的としているかを示す情報（僧帽弁機能計測など）が格納される。
【００２８】
例えば階層２の下位にある階層３の情報のうち、「計測手法」の下位にある情報としては、「計測箇所」として計測が被検体のどの部位に対して行われたかを示す情報（心房左室や大動脈など）、「計測原理」として計測に用いた計測原理が何であるかを示す情報（Ｔｅｉｃｈｈｏｌｚ法など）が格納される。
【００２９】
例えば階層３の下位にある階層４の情報のうち、「計測原理」の下位にある情報としては、「画像モード」として撮像された医用画像の画像モードが何であるかを示す情報（２ＤＢモード画像やドプラ画像など）、「計測値」として計測によって得られた計測値を示す情報（ＡＯＤ（大動脈径）＝４５ｍｍなど）が格納される。
【００３０】
例えば階層４の下位にある階層５の情報のうち、「計測値」の下位にある情報としては、「ビューモード」として医用画像が何のビューで表示されているときに計測値が取得されたかを示す情報（４チャンバービューなど）、「心拍状態」として計測値が取得された心時相を示す情報（拡張末期など）、そして実施形態に特徴的な情報である、「計測値承認情報」として医師の計測値に対する承認ステータスを示す情報（承認済み、未承認、要再計測など）が格納される。
【００３１】
以上の階層化して整理されたレポートの各情報に対して、撮像端末１あるいはビューワー端末２は情報を付与し、あるいは情報を読みだしてディスプレイに表示することができる。
【００３２】
なお、実施例におけるレポートの情報構成はこれに限られるものではない。例えばレポートを階層化しない一般的なＤＩＣＯＭ規格に則って構成しても構わないし、ＤＩＣＯＭ規格と異なるＨＬ７（Ｈｅａｌｔｈ  Ｌｅｖｅｌ  ７）などの任意の規格に則ってレポートを構成しても構わない。あるいは単に計測値と計測値承認情報のみからレポートを構成しても構わない。
【００３３】
（計測値承認情報を用いた診断の流れ）
図３は、測値承認情報を用いた診断の流れを示したフローチャートである。以下、図３を参照しながら医用診断システム１０の処理の流れについて述べる。
【００３４】
まず、撮像端末１は被検体に対する医用画像の撮影処理を行って医用画像を生成し、また医用画像を用いた計測を行って計測値を取得する。撮像端末１は、取得した計測値と医用画像に関する情報とに基づいてレポートを生成する（ステップ１０１）。このレポートには、少なくとも取得した計測値と、計測値に対応する計測値承認情報とが少なくとも含まれる。
【００３５】
撮像端末１が医用画像及びレポートを生成すると、撮像端末１は医用画像とレポートをＰＡＣＳサーバ３へと出力する（ステップ１０２）。ＰＡＣＳサーバ３は、画像データベース３１に医用画像を、レポートデータベース３２にレポートをそれぞれ記憶する。なお、このときＰＡＣＳサーバ３は医用画像とレポートとをそれぞれ対応づけて記憶する。
【００３６】
次に、ビューワー端末２が医用画像とレポートの読み出し指示をＰＡＣＳサーバ３へと送信する（ステップ１０３）。ビューワー端末２による読み出し指示は、例えば患者情報や撮影日時などの情報を用いてレポートデータベース３２に格納された任意のレポートを指定することで行っても構わないし、あるいは医用画像やレポートを一意に識別するＩＤ番号などを指定することで行っても構わない。ＰＡＣＳサーバ３は読み出し指示を受けると、読み出し指示によって指定された医用画像を画像データベース３１から、レポートをレポートデータベース３２から読み出して、ビューワー端末２へと出力する（ステップ１０４）。
【００３７】
ビューワー端末２が医用画像及びレポートをＰＡＣＳサーバ３から受信すると、ビューワー端末２は医用画像及びレポートに記録された計測値をビューワー端末２の表示部へと表示する。ビューワー端末２の使用者は、表示された医用画像及び計測値を用いて被検体の診断を行う。そして、ビューワー端末２の使用者は、ビューワー端末２の入力部を用いてレポート内の計測値承認情報を編集する（ステップ１０５）。
【００３８】
図４は、計測値承認情報を編集する際のビューワー端末２における画面表示例を示した図である。ビューワー端末２の表示部には、例えば計測値のタイトルと、レポートに記録された計測値、そして計測値承認情報を入力する入力欄とが並べて表示される。図４の画面表示例においては、例として超音波検査における計測値を示している。計測値のタイトルであるＡＯＤは大動脈経を、ＬＡＤは左房経を、ＩＶＳＴは心室中隔壁厚を、Ｅ波は拡張早期波の流速を、Ａ波は心房収縮期波の流速をそれぞれ示している。ビューワー端末２の使用者は、入力部を操作することで入力欄の表示を変化させて、計測値承認情報の入力を行う。計測値承認情報の入力をまだ行っていない初期状態においては、各計測値承認情報は「未承認」の状態になっている。ビューワー端末２の表示部では、計測値に対応する入力欄が空白の四角で表示されることで、計測値が「未承認」であることを示している。
【００３９】
ビューワー端末２の使用者は、計測値が正しいものであるとして承認する場合は、入力欄の表示をチェックマークに変化させることによって、計測値承認情報を「承認」に変化させる。また計測値が正しいものではないとして撮像端末１による計測値の再取得を要求する場合には、入力欄の表示をクエスチョンマークに変化させることによって、計測値承認情報を「要再計測」に変化させる。
【００４０】
ビューワー端末２は以上に述べた計測値承認情報の編集処理を終えると、計測値承認情報が編集されたレポートをＰＡＣＳサーバ３へと出力する（ステップ１０６）。ＰＡＣＳサーバ３は、レポートデータベース３２に記録されているレポートを、ビューワー端末２から送信されたレポートへと更新して記録する。
【００４１】
更に、ビューワー端末２は編集した計測値承認情報の中に「未承認」あるいは「要再計測」が含まれているか否かを判断する（ステップ１０７）。ビューワー端末２が、「未承認」あるいは「要再計測」の情報が含まれず、全て「承認」の状態になっていると判断した場合は（ステップ１０７のＮｏ）、処理を終了する。一方ビューワー端末２が、「未承認」あるいは「要再計測」の情報が含まれていると判断した場合は（ステップ１０７のＹｅｓ）、ビューワー端末２は撮像端末１へ医用画像及びレポートの読み出し指示を送信する（ステップ１０８）。
【００４２】
撮像端末１はビューワー端末２から送信された読み出し指示を受けると、読み出し指示によって指示された医用画像及びレポートの読み出し指示をＰＡＣＳサーバ３へと送信する（ステップ１０９）。
【００４３】
ＰＡＣＳサーバ３は撮像端末１から送信された読み出し指示を受けると、読み出し指示によって指定された医用画像を画像データベース３１から、レポートをレポートデータベース３２から読み出して、ビューワー端末２へと出力する（ステップ１１０）。
【００４４】
撮像端末１はＰＡＣＳサーバ３から出力された医用画像とレポートとを、撮像端末１の表示部へと表示する。図５は、レポートに含まれる計測値と計測値承認情報とを表示する際の、撮像端末１における画面表示例を示した図である。撮像端末１の表示部には、例えばビューワー端末２における計測値承認情報の編集画面と同じレイアウトの画面が表示される。つまり、計測値のタイトルと、レポートに記録された計測値、そして計測値承認情報を入力する入力欄とが並べて表示される。ここで、計測値承認情報はビューワー端末２による編集が反映された状態で表示される。よって、ビューワー端末２で編集された「承認」「未承認」及び「要再計測」の状態が撮像端末１の表示部にも表示されることとなる。撮像端末１の使用者はこの計測値承認情報を確認して、どの計測値が承認されたか、未承認であるか、あるいは再計測の必要があるかを判断する。
【００４５】
なお、撮像端末１はＰＡＣＳサーバ３から受信したレポート中に「要再計測」の計測値承認情報が含まれる場合、対応する計測値のタイトルを表示し、再計測を促すためのメッセージを表示しても構わない。このメッセージには計測モードへと移行するための入力ボタンが併せて表示される。撮像端末１の入力部を用いて入力ボタンを選択すると、撮像端末１は「要再計測」とされた計測値を計測するための計測モードへと移行する。すなわち、「要再計測」とされた計測値がＡＯＤやＬＡＤなど、医用画像中の距離計測に関するものである場合には、撮像端末１は医用画像を表示すると共に、距離計測を行うためのキャリパー（マーカ）を操作する計測モードへと移行する。一方「要再計測」とされた計測値がＥ波やＡ波など、医用画像の中でもドプラ波形における流速計測に関するものである場合には、撮像端末は医用画像のうちドプラ波形を表示すると共に、流速計測を行うためのマーカを操作する計測モードへと移行する。
【００４６】
なお、撮像端末１が再計測を促すメッセージを表示するのは「要再計測」とされた計測値に限られるものではない。例えば「未承認」の状態にある計測値についても同様に、メッセージの表示および計測モードへの移行処理を行っても構わない。
【００４７】
以上の処理により、医用診断システム１０は計測値承認情報を撮像端末１とビューワー端末２とで共有して診断を行う。これにより、ビューワー端末２の使用者による異常値の指摘や再計測の指示をより簡便に行うことができる。
【００４８】
また以上の処理により、撮像端末１はビューワー端末２で編集された計測値承認情報を計測値と対応づけて表示することができる。これにより、撮像端末１の使用者はいずれの計測値が承認されているか、未承認であるか、あるいは再計測が指示されているかを簡便に確認することができる。
【００４９】
また以上の処理により、撮像端末１は、計測値承認情報を利用して、「要再計測」とされた計測値に対応する計測モードへと自動的に移行することができる。これにより、「要再計測」とされた計測値を簡単に再計測することができる。
【００５０】
また以上の処理により、ビューワー端末２は撮像端末１で生成された各計測値について、承認状態を示し、また再計測を指示する計測値承認情報を編集することができる。これにより、いずれの計測値が異常値にあるか、また再計測の必要があるかを簡便に区別して記録することができる。
【００５１】
本実施形態の構成はここに述べたものに限定されず、また上記実施形態に開示されている複数の構成要素の適宣な組み合わせにより、種々の実施形態を形成できる。
【００５２】
例えば、図３におけるフローチャートのステップ１０１にて、撮像端末１は初期状態において「未承認」の状態にある計測値承認情報をレポートに付与するものとして述べたが、実施形態の構成はこれに限られない。例えばステップ１０１の時点では撮像端末１は計測値承認情報を生成せず、ステップ１０５においてビューワー端末２が計測値承認情報を生成するものであっても構わない。
【００５３】
また例えば、図３における各ステップにて、撮像端末１やＰＡＣＳサーバ３は医用画像及びレポートを送受信するものとして述べたが、医用画像の送受信を省略してレポートのみを送受信するものであっても構わない。
【００５４】
また例えば、ステップ１１０にて撮像端末１がＰＡＣＳサーバ３から計測値承認情報の編集されたレポートを読み出して再計測を行う場合、撮像端末１はレポートの各情報のうち、再計測を行った計測値のみを更新して再度ＰＡＣＳサーバ３へ送信する構成を取っても構わない。
【００５５】
また例えば、計測値承認情報が取りうる情報として「承認」「未承認」「要再計測」の３つを例として挙げたが、この他に「異常値」や「１次承認」「２次承認」などの様々な情報を取るものであっても構わない。また例えば、ビューワー端末２が任意のテキスト情報や音声情報などを計測値承認情報として入力するものであっても構わない。
【００５６】
以上に本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
１    撮像端末
２    ビューワー端末
３    ＰＡＣＳサーバ
１０  医用診断システム
３１  画像データベース
３２  レポートデータベース
【図１】
2012179101.tif 000003
【図２】
2012179101.tif 000004
【図３】
2012179101.tif 000005
【図４】
2012179101.tif 000006
【図５】
2012179101.tif 000007